(57)【要約】      （修正有）【課題】出火、火炎規模の拡大又は縮小を複数の発光素子の発光にて表示することで、出火又は火炎規模に応じた消防放水訓練を実施でき、臨場感のある消防放水訓練支援装置を提供する。【解決手段】放水される水を当てる標的面２５Ａ、及び赤色、黄色又は青色発光する発光ダイオードを有する擬似表示装置１と、標的面２５Ａに当てられた水による圧力を検出する圧力検出素子４と、制御装置２で消防放水訓練支援装置を構成する。制御装置２は、出火発光パターンにて赤色発光ダイオードを点滅した後、強火炎発光パターンにて赤色発光ダイオードを点灯する。続いて、制御装置２は、弱火炎発光パターンにて黄色発光ダイオードを点灯した後、鎮火発光パターンにて青色発光ダイオードを点灯する。【選択図】図１
0003192096.tif 000002
【実用新案登録請求の範囲】
【請求項１】
消火機器から放水される水を当てる標的面、及び複数の発光素子を有し、前記標記面を通して前記各発光素子を視認可能とする擬似表示装置と、
出火を示す出火発光パターン、又は前記出火発光パターンと相異する火炎規模を示す火炎発光パターン又は鎮火を示す鎮火発光パターンにて前記各発光素子を発光する制御装置と、
前記標的面に当てられた前記水による圧力を検出して、圧力検出信号を前記制御装置に出力する圧力検出素子と、
を備え、
前記制御装置は、
複数の前記発光素子を前記出火発光パターンにて発光する初期発光処理と、
前記初期発光処理に続き、前記圧力検出信号に基づいて、複数の前記発光素子を前記火炎発光パターンにて発光する火炎発光処理と、
前記火炎発光処理に続き、複数の前記発光素子を前記鎮火発光パターンにて発光する鎮火発光処理と、
を実行することを特徴とする消防放水訓練支援装置。
【請求項２】
前記制御装置は、
弱火の火炎規模を示す弱火炎発光パターン、又は強火の火炎規模を示す強火炎発光パターンにて前記各発光素子を発光し、
前記初期発光処理に続き、前記水圧検出信号に基づいて、複数の前記発光素子を前記強火炎発光パターンにて発光する強火炎発光処理と、
前記強火炎発光処理に続き、複数の前記発光素子を前記弱火炎発光パターンにて発光する弱火炎発光処理と、
前記弱火炎発光処理に続き、複数の前記発光素子を前記鎮火発光パターンにて発光する鎮火発光処理と、
を実行することを特徴とする請求項１に記載の消防放水訓練支援装置。
【請求項３】
複数の前記発光素子は、
赤色発光する複数の赤色発光ダイオード、黄色発光する複数の黄色発光ダイオード及び青色発光する複数の青色発光ダイオードで構成され、
前記制御装置は、
前記初期発光処理において、前記各赤色発光ダイオードを前記出火発光パターンにて発光し、
前記強火炎発光処理において、前記各赤色発光ダイオードを前記強火炎発光パターンにて発光し、
前記弱火炎発光処理において、前記各黄色発光ダイオードを前記弱火炎発光パターンにて発光し、
前記鎮火発光処理において、前記各青色発光ダイオードを前記鎮火発光パターンにて発光する
ことを特徴とする請求項２に記載の消防放水訓練支援装置。
【請求項４】
前記擬似表示装置は、
出火、火炎規模及び鎮火の文字情報を表示する文字表示器を有し、
前記制御装置は、
前記初期発光処理において、前記文字表示器に出火の文字情報を表示し、
前記火炎発光処理において、前記文字表示器に火炎規模の文字情報を表示し、
前記鎮火発光処理において、前記文字表示器に鎮火の文字情報を表示する
ことを特徴とする請求項１乃至３の何れかに記載の消防放水訓練支援装置。
【請求項５】
消火機器から放水される水を当てる標的面、及び複数の発光素子を有し、前記標的面を通して前記各発光素子を視認可能とする擬似表示装置と、
訓練自動モード又は訓練手動モードを実行し、出火を示す出火発光パターン、又は前記出火発光パターンと相異する火炎規模を示す火炎発光パターン又は鎮火を示す鎮火発光パターンにて前記各発光素子を発光する制御装置と、
前記標的面に当てられた前記水による圧力を検出して、圧力検出信号を前記制御装置に出力する圧力検出素子と、
訓練指導者による前記訓練自動モード又は前記訓練手動モードの切替操作、又は前記各発光パターンから一の発光パターンの選択操作を前記制御装置に出力する操作装置と、
を備え、
前記制御装置は、
前記切替操作に基づいて、前記訓練自動モード又は前記訓練手動モードを実行し、
前記訓練自動モードにおいて、
複数の前記発光素子を前記出火発光パターンにて発光する初期発光処理と、
前記初期発光処理に続き、前記圧力検出信号に基づいて、複数の前記発光素子を前記火炎発光パターンにて発光する火炎発光処理と、
前記火炎発光処理に続き、複数の前記発光素子を前記鎮火発光パターンにて発光する鎮火発光処理と、を実行し、
前記訓練手動モードにおいて、
前記選択操作に基づいて、複数の前記発光素子を選択された前記一の発光パターンにて発光する操作発光処理を、
実行することを特徴とする消防放水訓練支援装置。
【考案の詳細な説明】
【技術分野】
【０００１】
本考案は、消防放水訓練に使用される消防放水訓練支援装置に関する。
【背景技術】
【０００２】
消防訓練に使用する装置として、特許文献１は、消火訓練標的器を開示する。消火訓練標的器は、フロアプレート、フロアプレート上に立設されたポール及びポール上方に取付けた火炎表示プレートを備える。
特許文献１において、消火訓練を受ける訓練者は、消火器から水を放水し、水を消火訓練標的器の火炎表示プレートに当てて消火訓練を開始し、放水される水の圧力にて消火訓練標的器を転倒させることで消火訓練を終了する。
【先行技術文献】
【特許文献】
【０００３】
【特許文献１】実用新案登録第３１２０５７０号公報
【考案の概要】
【考案が解決しようとする課題】
【０００４】
しかし、特許文献１では、出火、火炎規模の拡大又は縮小に応じて放水訓練を実施できず、及び訓練者の技量に応じて消防放水訓練を進行できない。
また、特許文献１では、消防放水訓練中に、火炎規模は変化しないので、臨場感に欠けるものとなる。
【０００５】
本考案は、出火、火炎規模の拡大又は縮小、及び鎮火を複数の発光素子の発光にて表示することで、出火及び火炎規模に応じた消防放水訓練を実施でき、臨場感のある消防放水訓練支援装置を提供することにある。
【課題を解決するための手段】
【０００６】
本考案に係る請求項１は、消火機器から放水される水を当てる標的面、及び複数の発光素子を有し、前記標的面を通して前記各発光素子を視認可能とする擬似表示装置と、出火を示す出火発光パターン、又は前記出火発光パターンと相異する火炎規模を示す火炎発光パターン又は鎮火を示す鎮火発光パターンにて前記各発光素子を発光する制御装置と、前記標的面に当てられた前記水による圧力を検出して、圧力検出信号を前記制御装置に出力する圧力検出素子と、を備え、前記制御装置は、複数の前記発光素子を前記出火発光パターンにて発光する初期発光処理と、前記初期発光処理に続き、前記圧力検出信号に基づいて、複数の前記発光素子を前記火炎発光パターンにて発光する火炎発光処理と、前記火炎発光処理に続き、複数の前記発光素子を前記鎮火発光パターンにて発光する鎮火発光処理と、を実行することを特徴とする消防放水訓練支援装置である。
【０００７】
本考案に係る請求項２は、前記制御装置は、強火の火炎規模を示す強火炎発光パターン、又は弱火の火炎規模を示す弱火炎発光パターンにて前記各発光素子を発光し、前記初期発光処理に続き、前記水圧検出信号に基づいて、複数の前記発光素子を前記強火炎発光パターンにて発光する強火炎発光処理と、前記強火炎発光処理に続き、複数の前記発光素子を前記弱火炎発光パターンにて発光する弱火炎発光処理と、前記弱火炎発光処理に続き、複数の前記発光素子を前記鎮火発光パターンにて発光する鎮火発光処理と、を実行することを特徴とする請求項１に記載の消防放水訓練支援装置である。
【０００８】
本考案に係る請求項３は、複数の前記発光素子は、赤色発光する複数の赤色発光ダイオード、黄色発光する複数の黄色発光ダイオード及び青色発光する複数の青色発光ダイオードで構成され、前記制御装置は、前記初期発光処理において、前記各赤色発光ダイオードを前記出火発光パターンにて発光し、前記強火炎発光処理において、前記各赤色発光ダイオードを前記強火炎発光パターンにて発光し、前記弱火炎発光処理において、前記各黄色発光ダイオードを前記弱火炎発光パターンにて発光し、前記鎮火発光処理において、前記各青色発光ダイオードを前記鎮火点灯パターンにて発光することを特徴とする請求項２に記載の消防放水訓練支援装置である。
【０００９】
本考案に係る請求項４は、前記擬似表示装置は、出火、火炎規模及び鎮火の文字情報を表示する文字表示器を有し、前記制御装置は、前記初期発光処理において、前記文字表示器に前記出火の文字情報を表示し、前記火炎発光処理において、前記文字表示器に前記火炎規模の文字情報を表示し、前記鎮火発光処理において、前記文字表示器に前記鎮火の文字情報を表示することを特徴とする請求項１乃至３の何れかに記載の消防放水訓練支援装置である。
【００１０】
本考案に係る請求項５は、消火機器から放水される水を当てる標的面、及び複数の発光素子を有し、前記標的面を通して前記各発光素子を視認可能とする擬似表示装置と、自動訓練モード又は手動訓練モードを実行し、出火を示す出火発光パターン、又は前記出火発光パターンと相異する火炎規模を示す火炎発光パターン又は鎮火を示す鎮火発光パターンにて前記各発光素子を発光する制御装置と、前記標的面に当てられた前記水による圧力を検出して、圧力検出信号を前記制御装置に出力する圧力検出素子と、訓練指導者による前記自動訓練モード又は前記手動訓練モードの切替操作、及び前記各発光パターンから一の発光パターンの選択操作を前記制御装置に出力する操作装置と、を備え、前記制御装置は、前記切替操作に基づいて、前記自動訓練モード又は前記手動訓練モードを実行し、前記自動訓練モードにおいて、複数の前記発光素子を前記出火発光パターンにて発光する初期発光処理と、前記初期発光処理に続き、前記圧力検出信号に基づいて、複数の前記発光素子を前記火炎発光パターンにて発光する火炎発光処理と、前記火炎発光処理に続き、複数の前記発光素子を前記鎮火発光パターンにて発光する鎮火発光処理と、を実行し、前記手動訓練モードにおいて、前記選択操作に基づいて、複数の前記発光素子を選択した前記一の発光パターンにて発光する操作発光処理を実行することを特徴とする消防放水訓練支援装置である。
【考案の効果】
【００１１】
本考案に係る請求項１によれば、制御装置は、複数の発光素子を出火パターンにて発光する。消防放水訓練を受ける訓練者は、出火発光パターンで発光する複数の発光素子を視認することで、出火を認識する。訓練者は、消火機器を使用し、擬似表示装置の標的面に水を放水する。圧力検出素子は、擬似表示装置の標的面に放水され、当てられた水による圧力を検出して、圧力検出信号を制御装置に出力する。制御装置は、圧力検出信号を入力すると、圧力検出信号に基づいて、複数の発光素子を火炎発光パターンにて発光する。火炎発光パターンは、出火発光パターンと相異する火炎規模であるので、訓練者は、火炎発光パターンにて発光する発光素子を視認することで、火炎規模の拡大又は縮小を認識する。続いて、制御装置は、複数の発光素子を鎮火発光パターンにて発光する。訓練者は、鎮火発光パターンにて発光する複数の発光素子を視認することで、鎮火を認識する。
これにより、訓練者は、発光形態の変化する発光素子によって、臨場感のある消防放水訓練を受けることができる。訓練者は、出火、火炎規模の拡大又は縮小、及び鎮火を複数の発光素子の発光にて体感でき、出火、火炎規模の拡大又は縮小、及び鎮火に応じた放水訓練を実施できる。
【００１２】
本考案に係る請求項２によれば、請求項１の効果に加えて、制御装置は、初期発光処理に続き、複数の発光素子を強火炎発光パターンにて発光する。訓練者は、強火炎発光パターンにて発光する複数の発光素子を視認することで、強火炎を認識する。続いて、制御装置は、複数の発光素子を弱火炎発光パターンにて発光する。訓練者は、弱火炎発光パターンにて発光する複数の発光素子を視認することで、弱火炎を認識する。
これにより、訓練者は、強火炎又は弱火炎に応じて消防放水訓練を実施できる。
【００１３】
本考案に係る請求項３は、請求項２の効果に加えて、訓練者は、出火発光パターンにて赤色発光する発光ダイオードを視認することで、赤色発光によって出火を認識できる。訓練者は、強火炎発光パターンにて赤色発光する発光ダイオードを視認することで、赤色発光によって強火炎を認識できる。また、訓練者は、弱火炎発光パターンにて黄色発光する発光ダイオードを視認することで、黄色発光によって弱火炎を認識できる。更に、訓練者は、鎮火発光パターンにて青色発光する発光ダイオードを視認することで、青色発光によって鎮火を認識できる。
【００１４】
本考案に係る請求項４は、請求項１乃至３の効果に加えて、文字表示器に表示される文字情報を視認することで、出火、火炎規模の拡大又は縮小、及び鎮火を認識できる。
【００１５】
本考案に係る請求項５によれば、自動訓練モードにおいて、制御装置は、複数の発光素子を出火パターンにて発光する。消防放水訓練を受ける訓練者は、出火発光パターンで発光する複数の発光素子を視認することで、出火を認識する。訓練者は、消火機器を使用し、擬似表示装置の標的面に水を放水する。圧力検出素子は、擬似表示装置の標的面に放水され、当てられた水による圧力を検出して、圧力検出信号を制御装置に出力する。制御装置は、圧力検出信号を入力すると、圧力検出信号に基づいて、複数の発光素子を火炎発光パターンにて発光する。火炎発光パターンは、出火発光パターンと相異する火炎規模であるので、訓練者は、火炎発光パターンにて発光する発光素子を視認することで、火炎規模の拡大又は縮小を認識する。続いて、制御装置は、複数の発光素子を鎮火発光パターンにて発光する。訓練者は、鎮火発光パターンにて発光する複数の発光素子を視認することで、鎮火を認識する。
これにより、訓練者は、発光形態の変化する発光素子によって、臨場感のある消防放水訓練を受けることができる。訓練者は、出火、火炎規模の拡大又は縮小、及び鎮火を複数の発光素子の発光にて体感でき、出火、火炎規模の拡大又は縮小、及び鎮火に応じた放水訓練を実施できる。
また、本考案に係る請求項５によれば、手動訓練モードにおいて、訓練指導者は、各発光パターンから一の発光パターンを選択することで、所望の発光パターンにて各発光ダイオードを発光でき、消防放水訓練の内容、質又は訓練者の技量に応じて、各発光素子を発光して、消防放水訓練を進めることができる。
【図面の簡単な説明】
【００１６】
【図１】消防放水訓練支援装置を示す斜視図である。
【図２】擬似表示装置を示す図であって、（ａ）は表面図、（ｂ）は裏面図、（ｃ）は図２（ａ）のＡ−Ａ矢視図である。
【図３】擬似表示装置を構成する支持枠体を示す図であって、（ａ）は表面図、（ｂ）は裏面図である。
【図４】図３（ａ）のＣ−Ｃ矢視図である。
【図５】擬似表示装置を構成する擬似表示体を示す図であって、（ａ）は表面図、（ｂ）は裏面図、（ｃ）は図５（ａ）のＤ−Ｄ断面図である。
【図６】図２（ａ）のＢ−Ｂ断面拡大図である。
【図７】擬似表示装置、制御装置及び操作装置のブロック図である。
【図８】擬似表示装置を消防訓練施設に配置した斜視図である。
【図９】擬似表示装置に防水した断面拡大図である。
【図１０】複数の擬似表示装置を備える消防放水訓練支援装置を示す斜視図である。
【図１１】擬似表示装置の文字表示器を示す図であって、（ａ）は表面図、（ｂ）は文字表示器に「出火」の文字情報を表示した表面図、（ｃ）は文字表示器に「強火炎」の文字情報を表示した表面図、（ｄ）は文字表示器に「弱火炎」の文字情報を表示した表面図、（ｅ）は文字表示器に「鎮火」の文字情報を表示した表面図である。
【図１２】図１１（ａ）のＥ−Ｅ断面拡大図である。
【図１３】消防放水訓練装置を構成する走行台車を示す斜視図である。
【考案を実施するための形態】
【００１７】
本考案に係る消防放水訓練支援装置について、図１乃至１３を参照して説明する。
【００１８】
図１乃至１３において、消防放水訓練支援装置Ｘは、消防署等の消防士又は学校、病院等の施設における児童、生徒又は教師等の一般人（以下、「訓練者」という）の消火放水訓に使用する。消火放水訓練では、訓練者が消火機器を使用して、消防放水訓練支援装置Ｘに放水する。
消防放水訓練支援装置Ｘは、擬似表示装置１、制御装置２、計時器３（計時素子４５，４６，４７）、圧力検出素子４及び操作装置５を備える（図１乃至図７参照）。
【００１９】
擬似表示装置１は、図１乃至図６に示すように、支持枠体１１、擬似表示体１２を有する。
【００２０】
支持枠体１１は、図３及び図４に示すように、取付平板１５、及び複数（４つ）の枠材１６，１６，…を有する。各枠材１６，１６，…は矩形状に連続して配置され、取付平板１５とで内部空間Ｋを形成する。
各枠材１６，１６，…は、第１枠平板１７及び第２枠平板１８にてＬ字状に形成される。
各枠材１６，１６，…において、第１枠平板１７は表裏面を取付平板１５の表裏面と直交して配置され、取付平板１５に固定される。
各枠材１６，１６，…において、第２枠平板１８は表裏面を取付平板１５の表裏面と平行にして配置される。第２枠平板１８は取付平板１５の表裏面に直交する方向において、取付平板１５の間に間隔を隔てて配置される。
各枠材１６，１６，…において、第２枠平板２０は内部空間Ｋに開口する矩形窓Ｌを形成する。内部空間Ｋにおいて、矩形窓Ｌ反対側は、取付平板１５にて閉塞される。
【００２１】
擬似表示体１２は、図５に示すように、標的平板２５（標的面２５Ａ）、複数の発光素子２６，２７，２８、及び内側枠体２９を有する。
【００２２】
標的平板２５は、透明樹脂（例えばアクリル樹脂）等で矩形に形成される。
【００２３】
複数の発光素２６，２７，２８は、赤色発光する複数の赤色発光ダイオード２６，２６，…、黄色発光する複数の黄色発光ダイオード２７，２７，…、及び青色発光する複数の青色発光ダイオード２８，２８，…で構成される（以下、「発光ダイオード２６，２７，２８」という）。
各発光ダイオード２６，２７，２８は、ＬＥＤ駆動回路基板３０に配置され、ＬＥＤ駆動回路（図示しない）に接続される。
各発光ダイオード２６，２７，２８は、例えば、複数列及び複数行でなる斜方格子（又は菱形格子）に配列される。  各発光ダイオード２６，２７，２８は、例えば、各列において、赤色発光ダイオード２６、黄色発光ダイオード２７、青色発光ダイオード２７の順に繰返し配列される。
各発光ダイオード２６，２７，２８は、例えば、図５に示すように、１４列に配置され、奇数列に２１個、偶数列に１９個配列する。また、奇数列の各発光ダイオード２６，２７，２８、及び奇数列の各発光ダイオード２６，２７，２８は、発光ダイオード間のピッチを半ピッチずらして千鳥配列される。
【００２４】
内側枠体２９は、複数（４つ）の枠材３１，３１，…を有する。各枠材３１，３１，…は、断面コ字形に形成され、矩形状に連続して配置され、内部空間Ｍを形成する。
内側枠体２９は、各枠材３１，３１，…にて内部空間Ｍに開口する矩形窓Ｎを形成する。
【００２５】
擬似表示体１２において、標的平板２５は、内側枠体２９の内部空間Ｍに配置される。擬似平板２５は、表面２５Ａにて矩形窓Ｎを覆って配置される。
各発光ダイオード２６，２７，２８、及びＬＥＤ駆動回路基板３０は、内側枠体２９の内部空間Ｍに配置される。
各発光ダイオード２６，２７，２８は、内側枠体２９の内部空間Ｍ内において、標的平板２５（裏面２５Ｂ）に間隔を隔てて配置され、標的平板２５の裏面２５Ｂに対峙する。
また、各発光ダイオード２６，２７，２８、及びＬＥＤ駆動回路基板３０は、例えば透明樹脂３２中に埋設される。透明樹脂３２は、シリコン樹脂、アクリル樹脂等でなる。透明樹脂３２は、各発光ダイオード２６，２７，２８及びＬＥＤ駆動回路基板３０を完全に覆って、各発光ダイオード２６，２７，２８及び標的平板２５間にも充填される。
透明樹脂３２は、内側枠体２９の内部空間Ｍ内に充填され、各発光ダイオード２６，２７，２８及びＬＥＤ駆動回路基板３０を密封する。
【００２６】
このように、擬似表示体１２は、透明樹脂３２内に各発光ダイオード２６，２７，２８及びＬＥＤ駆動回路基板３０を埋設して、矩形樹脂平板を形成する。これにより、各発光ダイオード２６，２７，２８及びＬＥＤ駆動回路基板３０は、消火機器から放水して、水を標的面２５Ａ（標的平板２５）に当てても濡れることがない。
また、擬似表示体１２は、矩形樹脂平板の外縁に各枠材３１，３１，…を配置して内側枠体２９を構成する。これにより、内側枠体２９にて矩形樹脂平板を補強する。
【００２７】
擬似表示装置１において、擬似表示体１２は、図２及び図６に示すように、支持枠体１１の内部空間Ｋに配置される。擬似表示体１２は、標的平板２５を矩形窓Ｌに対峙して配置される。標的平板２５は、表面２５Ａにて支持枠体１１の矩形窓Ｌを覆って、表面２５Ａにて標的面（以下、「標的面２５Ａ」という）を構成する。擬似表示体１２は、各枠材１５，１５，…の第１及び第２枠平板１７，１８の間に間隔を隔てて内部空間Ｋ内に配置される。
これにより、擬似表示体１２は、支持枠体１１に対して摺動自在（移動自在）に配置される。擬似表示体１２は、標的平板２５の標的面２５Ａ（又は第２枠平板１８の表裏面）と直交する方向に摺動自在にされる。擬似表示体１２は、支持枠体１１の第２枠平板１８及び取付平板１５間にて摺動される。
また、擬似表示装置１は、支持枠体３の矩形窓Ｌ、標的平板２５（透明樹脂）及び透明樹脂３２を通して各発光ダイオード２６，２７，２８を視認可能とする。擬似表示装置１において、標的面２５Ａ（標的平板２５）に消火機器から放水される水が当てられる。
【００２８】
制御装置２は、発光制御プログラムに従って、自動訓練モードＡＧ又は手動訓練モードＳＧを実行する。
制御装置２は、発光制御プログラムに従って、出火発光パターンＰＳ、又は火炎発光パターンＰＴ又は鎮火発光パターンＰＦにて各発光ダイオード２６，２７，２８を発光する。
出火発光パターンＰＳは、出火を示す発光パターンである。出火発光パターンＰＳは、例えば、各赤色発光ダイオード２６，２６，…を点滅する。
火炎発光パターンＰＴは、出火発光パターンＰＳと相異する火炎規模を示す発光パターンである。火炎発光パターンＰＴは、例えば、強火を示す強火炎発光パターンＰＴ１及び弱火を示す弱火炎発光パターンＰＴ２で構成する。強火炎発光パターンＰＴ１は、例えば、各赤色発光ダイオード２６，２６，…を点灯する。弱火炎発光パターンＰＴ２は、例えば、各黄色発光ダイオード２７，２７，…を点灯する。
鎮火発光パターンＰＦは、鎮火を示す発光パターンである。鎮火発光パターンＰＦは、例えば、各青色発光ダイオード２８，２８，…を点灯する。
【００２９】
制御装置２は、図７に示すように、制御部３５及びデータ記憶部３６を備える。制御部３５は、例えばＣＰＵ（Central  Processing  Unit／中央演算処理措置）で構成される。
制御部３５は、ケーブル３７（配線）にてＬＥＤ駆動回路基板３０（発光ダイオード２６，２７，２８）に接続される。
制御部３５は、自動訓練モードＡＧにおいて、発光制御プログラムに従って、初期発光処理、火炎発光処理、及び鎮火発光処理を実行する。火炎発光処理は、強火炎発光処理及び弱火炎発光処理でなる。
【００３０】
データ記憶部３６は、制御部３５に接続される。データ記憶部３６は、発光制御プログラム、及び各発光パターンＰＳ，ＰＴ１，ＰＴ２，ＰＦを記憶する。
【００３１】
計時器３は、図７に示すように、第１乃至第４計時素子であるタイマ４５，４６，４７，４８で構成される。第１乃至第４タイマ４５，４６，４７，４８は、例えば、制御装置２に配置され、及び制御部３５に接続される。
第１タイマ４５は、制御部３５からの計時信号ＳＡに基づき、第１時間Ｔ１を計時して計時終了信号Ｓ１を制御部３５に出力する。
第２タイマ４６は、制御部３５からの計時信号ＳＡに基づき、第２時間Ｔ２を計時して計時終了信号Ｓ２を制御部３５に出力する。
第３タイマ４７は、制御部３５からの計時信号ＳＡに基づき、第３時間Ｔ３を計時して計時終了信号Ｓ３を制御部３５に出力する。
第４タイマ４８は、制御部３５からの計時信号ＳＡに基づき、第４時間Ｔ４を計時して計時終了信号Ｓ４を制御部３５に出力する。
第１乃至第３タイマ４５，４６，４７，４８において、第１乃至第４時間Ｔ１，Ｔ２，Ｔ３，Ｔ４は、同一時間又は異なる時間に設定される。
【００３２】
圧力検出素子４は、標的面２５Ａ（標的平板２５）に当てられた水による圧力を検出して、圧力検出信号ＰＲを制御装置２（制御部３５）に出力する。
圧力検出素子４は、例えば、歪ゲージ等の圧力センサで構成され、図７に示すように、ケーブル５５（配線）にて制御装置２（制御部３５）に接続される。
圧力検出素子４は、図１乃至図４及び図６に示すように、擬似表示装置１において、支持枠体１１の内部空間Ｋに配置される。圧力検出素子４は、内部空間Ｋ中央（取付平板１５中央）にて支持枠体１１の取付平板１５に固定され、擬似表示体１２に対峙する。
【００３３】
操作装置５は、消火放水訓練の指導する者（以下、「訓練指導者」という）による自動訓練モードＡＧ又は手動訓練モードＳＧの切替操作を制御装置２に出力する。
操作装置５は、訓練指導者による、各発光パターンＰＳ，ＰＴ１，ＰＴ２，ＰＦから一の発光パターンの選択操作を制御装置２に出力する。操作装置５は、図１及び図７に示すように、ケーブル６０（配線）にて計時器３（第１乃至第４タイマ４５〜４８）に接続され、及びケーブル６１（配線）にて制御装置２に接続される。
【００３４】
操作装置５は、図７に示すように、電源スイッチ６２、訓練開始スイッチ６３、訓練停止スイッチ６４、モード切替スイッチ６５、出火選択スイッチ６６、強火炎選択スイッチ６７、弱火炎選択スイッチ６８、鎮火選択スイッチ６９、第１摘みスイッチ７０、第２摘みスイッチ７１、第３摘みスイッチ７２及び第４摘みスイッチ７３等を備える。
各スイッチ６２〜６９は、ケーブル６１にて制御装置２（制御部３５）に接続される。第１摘みスイッチ７０は、ケーブル６０にて計時器３の第１タイマ４５に接続され、第２摘みスイッチ７１は、ケーブル６０にて第２タイマ４６に接続される。第３摘みスイッチ７２は、ケーブル６０にて第３タイマ４７に接続され、第４摘みスイッチ７３はケーブル６０にて第４タイマ４８に接続される。
【００３５】
操作装置５は、訓練開始スイッチ６３の操作に基づき、訓練開始信号ｓｔを制御装置２に出力し、制御装置２は、訓練開始信号ｓｔに基づいて、各赤色発光ダイオード２６，２６，…を出火発光パターンＰＳにて発光（点滅）する。
【００３６】
操作装置５は、訓練停止スイッチ６４の操作に基づき、訓練停止信号ｓｐを制御装置２に出力し、制御装置２は訓練停止信号ｓｐに基づいて、各発光ダイオード２６，２７，２８を消灯する。
【００３７】
操作装置５は、モード切替スイッチ６の操作に基づき、自動モード信号ａｇ又は手動モード信号ｓｇを制御装置２に出力し、制御装置２は各モード信号ａｇ，ｓｇに基づいて、自動訓練モードＡＧ又は手動訓練モードＳＧを実行する。
【００３８】
操作装置５は、出火選択スイッチ６６の操作に基づき、出火選択信号ｃｓを制御装置２に出力し、制御装置２は出火選択信号ｃｓに基づいて、各赤色発光ダイオード２６，２６，…を出火発光パターンＰＴにて発光（点滅）する。
【００３９】
操作装置５は、強火炎選択スイッチ６７の操作に基づき、強火炎選択信号ｃｈを制御装置２に出力し、制御装置２は強火炎選択信号ｃｈに基づいて、各赤色発光ダイオード２６，２６，…を強火炎発光パターンＰＴ１にて発光（点灯）する。
【００４０】
操作装置５は、弱火炎選択スイッチ６８の操作に基づき、弱火炎選択信号ｃｗを制御装置２に出力し、制御装置２は弱火炎選択信号ｃｗに基づいて、各黄色発光ダイオード２７，２７，…を弱火炎発光パターンＰＴ２にて発光（点灯）する。
【００４１】
操作装置５は、鎮火選択スイッチ６９の操作に基づき、鎮火選択信号ｃｆを制御装置２に出力し、制御装置２は鎮火選択信号ｃｆに基づいて、各青色発光ダイオード２８，２８，…を鎮火発光パターンＰＦにて発光（点灯）する。
【００４２】
操作装置５は、第１摘みスイッチ７０の操作に基づき、第１タイマ４５の第１時間Ｔ１を設定し、第２摘みスイッチ７１の操作に基づき、第２タイマ４６の第２時間Ｔ２を設定し、更に第３摘みスイッチ７２の操作に基づき、第３タイマ４７の第３時間Ｔ３を設定する。第４摘みスイッチ７３の操作に基づき、第４タイマ４８の第４時間Ｔ４を設定する。
【００４３】
次に、消防放水訓練支援装置Ｘを使用した消防放水訓練について、図１乃至図９を参照して説明する。
【００４４】
先ず、擬似表示装置１を消防訓練施設Ｙ等に配置する。擬似表示装置１は、図８に示すように、例えば消防訓練施設Ｙの屋内Ｚに配置し、支持枠体１１の取付平板１５を屋内壁Ｚ１等に固定する。
このとき、擬似表示装置１は、擬似表示体１２の標的平板２５（標的面２５Ａ）を屋内Ｚに向けて配置する。
このように、擬似表示装置１において、取付平板１５を屋内壁Ｚ１等に固定すると、擬似表示体１２は、図９に示すように、支持枠体１１に対して、標的面２５Ａに直交する方向にて摺動自在（移動自在）となる。
【００４５】
続いて、訓練指導者は、図７に示すように、操作装置５の電源スイッチ６２を操作して、「電源ＯＮ」にする。
訓練指導者は、操作装置５の第１乃至第４摘みスイッチ７０，７１，７２，７３を操作して、第１乃至第４タイマ４５，４６，４７，４８に第１乃至第３時間Ｔ１，Ｔ２，Ｔ３，Ｔ４を設定する。
また、訓練指導者は、モード選択スイッチ６５を操作して、例えば自動訓練モードＡＧを選択する。
操作装置５は、自動訓練モードＡＧの選択操作に基づき、自動モード信号ａｇを制御装置２に出力し、制御装置２は自動モード信号ａｇを入力する。制御部３５は、自動モード信号ａｇに基づき、自動訓練モードＡＧを実行する。自動訓練モードＡＧにおいて、制御部３５は、データ記憶部３６から発光制御プログラムを読出し、初期発光処理、強火炎発光処理、弱火炎発光処理及び鎮火発光処理を実行し、各発光ダイオード２６，２７，２８を発光又は消灯する。
【００４６】
＜自動訓練モードＡＧ＞
訓練指導者は、訓練開始スイッチ６３を操作する。操作装置５は、訓練開始スイッチ６３の操作に基づき、訓練開始信号ｓｔを制御装置２に出力し、制御装置２は訓練開始信号ｓｔを入力する。
制御装置２において、制御部３５は、訓練開始信号ｓｔに基づき、初期発光処理を実行する。制御部３５は、発光制御プログラムに従って、データ記憶部３６から出火発光パターンＰＳを読出し、出火発光パターンＰＳにて各赤色発光ダイオード２６，２６，…を発光する。各赤色発光ダイオード２６，２６，…は、赤色点滅する。なお、各黄色発光ダイオード２７，２７，…及び各青色発光ダイオード２８，２８，…は消灯している。
【００４７】
続いて、訓練者は、図８及び図９に示すように、消火機器Ａから水を放水し、消火機器から放水される水を擬似表示装置１の標的面２５Ａ（標的平板２５）に当てる。なお、消火機器Ａは、消火器、又は消火ノズル等である。消火ノズルは、消火ホースに連結され、消火ホースを通して消火栓又は消防車等に連結される。
擬似表示装置１の擬似表示体１２は、図９に示すように、標的面２５Ａ（標的平板２５）に当てられた水による圧力によって、圧力検出素子４側に摺動（移動）され、圧力検出素子４を押圧する。
これにより、圧力検出素子４は、標的面２５Ａに当てた水による圧力を検出し、圧力検出信号ＰＲを制御装置２に出力し。制御装置２は圧力検出信号ＰＲを入力する。
【００４８】
続いて、制御装置２は、圧力検出信号ＰＲを入力すると、発光制御プログラムに従って、初期発光処理に続き、強火炎発光処理を実行する。
制御部３５は、圧力検出信号ＰＲに基づいて、第１タイマ４５に計時信号ＳＡを出力する。第１タイマ４５は、制御装置２からの計時信号ＳＡに基づいて計時を開始する。第１タイマ４５は、第１時間Ｔ１を計時すると、計時終了信号Ｓ１を制御装置２に出力し、制御装置２は計時終了信号Ｓ１を入力する。
制御部３５は、第１タイマ４５からの計時終了信号Ｓ１に基づいて、データ記憶部３６から強火炎発光パターンＰＴ１を読出し、各赤色発光ダイオード２６，２６，…を出火発光パターンＰＳから強火炎発光パターンＰＴ１にて発光する。各赤色発光ダイオード２６，２６，…は、赤色点滅から赤色点灯する。なお、各黄色発光ダイオード２７，２７，…及び各青色発光ダイオード２８，２８，…は消灯している。
【００４９】
続いて、制御装置２は、発光制御プログラムに従って、強火炎発光処理に続き、弱火炎発光処理を実行する。
制御部３５は、各赤色発光ダイオード２６，２６，…を強火炎発光パターンにて発光すると、図７に示すように、第２タイマ４６に計時信号ＳＡを出力する。第２タイマ４６は、計時信号ＳＡに基づいて計時を開始する。第２タイマ４６は、第２計時時間Ｔ２を計時すると、計時終了信号Ｓ２を制御装置２に出力し、制御装置２は計時終了信号Ｓ２を入力する。
制御部３５は、第２タイマ４６からの計時終了信号Ｓ２に基づいて、データ記憶部３６から弱火炎発光パターンＰＴ２を読出し、各黄色発光ダイオード２７，２７，…を弱火炎発光パターンＰＴ２にて発光する。各黄色発光ダイオード２７，２７，…は、黄色点灯する。また、制御部３５は、各赤色発光ダイオード２６，２６，…を消灯する。
【００５０】
制御装置２は、発光制御プログラムに従って、弱火炎発光処理に続き、鎮火発光処理を実行する。
制御部３５は、各黄色発光ダイオード２７，２７，…を弱火炎発光パターンＰＴ２にて発光すると、第３タイマ４７に計時信号ＳＡを出力する。第３タイマ４７は、制御装置２からの計時信号ＳＡに基づいて計時を開始する。第３タイマ４７は、第３時間Ｔ３を計時すると、計時終了信号Ｓ３を制御装置２に出力し、制御装置２は計時終了信号Ｓ３を入力する。
制御部３５は、第３タイマ４７からの計時終了信号Ｓ３に基づいて、データ記憶部３６から鎮火発光パターンＰＤを読出し、各青色発光ダイオード２８，２８，…を鎮火発光パターンＰＦにて発光する。各青色発光ダイオード２８，２８，…は、青色点灯する。また、制御部３５は、各黄色発光ダイオード２７，２７，…を消灯する。
【００５１】
続いて、制御装置２は、発光制御プログラムに従って、鎮火発光処理に続き、消灯処理を実行する。
制御部３５は、各青色発光ダイオード２８，２８，…を鎮火発光パターンＰＦにて発光すると、第４タイマ４８に計時信号ＳＡを出力する。第４タイマ４８は、制御装置２からの計時信号ＳＡに基づいて、計時を開始する。第４タイマ４５は、第４時間を計時すると、計時終了信号Ｓ４を制御装置２に出力し、制御装置２は計時終了信号Ｓ４を入力する。
制御部３５は、第４タイマ４８からの計時終了信号Ｓ４に基づいて、各青色発光ダイオード２８，２８，…を消灯する。
【００５２】
このように、訓練者は、赤色点滅、赤色点灯、黄色点灯又は青色点灯に変化する発光ダイオード２６，２７，２８を視認することで、出火、火炎規模の拡大又は縮小（強火炎、弱火炎）の認識でき、臨場感のある消防放水訓練を受けることができる。また、訓練者は、出火、火炎規模の拡大又は縮小（強火火炎又は弱火炎）、及び鎮火を複数の発光ダイオード２６，２７，２８の発光にて体感でき、出火、火炎規模の拡大又は縮小、及び鎮火に応じて擬似表示装置１の標的面２５Ａ（標的平板２５）に放水することで、適正に放水訓練を実施できる。
【００５３】
一方、訓練指導者は、モード選択スイッチ６５を操作して、手動訓練モードを選択する。操作装置５は、手動モード信号ｓｇを制御装置２に出力し、制御装置２は手動モード信号ｓｇを入力する。
制御装置２は、手動モード信号ｓｇを入力すると、手動訓練モードＳＧを実行する。
【００５４】
＜手動訓練モードＳＧ＞
続いて、訓練指導者は、訓練開始スイッチ６３を操作する。操作装置５は、訓練開始スイッチ６３の操作の基づき、訓練開始信号ｓｔを制御装置２に出力し、制御装置２は訓練開始信号ｓｔを入力する。
制御部３５は、訓練開始信号ｓｔに基づき、データ記憶部３６から出火発光パターンＰＳを読出し、出火発光パターンＰＳにて各赤色発光ダイオード２６，２６，…を発光する。各赤色発光ダイオード２６，２６，…は、赤色点滅する。なお、各黄色発光ダイオード２７，２７，…及び各青色発光ダイオード２８，２８，…は消灯している。
手動訓練モードＳＧにおいて、制御装置２は、第１乃至第４タイマ４５，４６，４７，４８に計時信号ＳＡを出力せず、第１乃至第４タイマ４５，４６，４７，４８の計時を停止する。
【００５５】
制御装置２は、各選択スイッチ６６，６７，６８，６９の選択操作に基づいて、各発光パターンから選択された発光パターンにて各発光ダイオード２６，２７，２８を発光する操作発光処理を実行する。
訓練指導者は、操作装置５の強火炎選択スイッチ６７を操作する。操作装置５は、強火炎選択信号ｃｈを制御装置２に出力し、制御装置２は強火炎選択信号ｃｈを入力する。
制御部３５は、強火炎選択信号ｃｈに基づいて、データ記憶部３６から強火炎発光パターンＰＴ１をみ出し、強火炎発光パターンＰＴ１にて各赤色発光ダイオード２６，２６，…を発光する。各赤色発光ダイオード２６，２６，…は赤色点灯する。このとき、制御部３５は、各黄色発光ダイオード２７，２７，…及び各青色発光ダイオード２８，２８，…を消灯する。
【００５６】
また、訓練指導者は、操作装置５の弱火炎選択スイッチ６８を操作する。操作装置５は、弱火炎選択信号ｃｗを制御装置２に出力し、制御装置２は弱火炎選択信号ｃｗを入力する。
制御部３５は、弱火炎選択信号ｃｗに基づいて、データ記憶部３６から弱火炎発光パターンＰＴ２を読出し、弱火炎発光パターンＰＴ２にて各黄色発光ダイオード２７，２７，…を発光する。各黄色発光ダイオード２７，２７，…は黄色点灯する。このとき、制御部３５は、各赤色発光ダイオード２６，２６，…及び各青色発光ダイオード２８，２８，…を消灯する。
【００５７】
更に、訓練指導者は、操作装置５の鎮火選択スイッチ６９を操作する。操作装置５は、鎮火選択信号ｃｆを制御装置２に出力し、制御装置２は鎮火選択信号ｃｆを入力する。
制御部３５は、鎮火選択信号ｃｆに基づいて、データ記憶部３６から鎮火発光パターンＰＦを読出し、鎮火発光パターンＰＦにて各青色発光ダイオード２８，２８，…を発光する。各青色発光ダイオード２８，２８，…は青色点灯する。このとき、制御部３５は、各赤色発光ダイオード２６，２６，…及び各黄色発光ダイオード２７，２７，…を消灯する。
【００５８】
また、訓練指導者は、操作装置５の出火選択スイッチ６６を操作する。操作措置５は、出火選択信号ｃｓを制御装置２に出力し、制御装置２は出火選択信号ｃｓを入力する。
制御部３５は、出火選択信号ｃｓに基づいて、データ記憶部３６から出火発光パターンＰＳを読出し、出火発光パターンＰＳにて各赤色発光ダイオード２６，２６，…を発光する。各赤色発光ダイオード２６，２６，…は赤色点滅する。このとき、制御部３５は、各黄色発光ダイオード２７，２７，…及び各青色発光ダイオード２８，２８，…を消灯する。
【００５９】
このように、訓練指導者は、選択スイッチ６６，６７，６８，６９を選択することで、所望の発光パターンにて各発光ダイオード２６，２７，２８を発光でき、消防放水訓練の内容、質又は訓練者の技能に応じて、各発光素子２６，２７，２８（発光ダイオード）を発光して、消防放水訓練を進めることができる。
【００６０】
消防放水訓練支援装置Ｘにおいて、各発光素子２６，２７，２８（各発光ダイオード）を発光する発光パターンＰＳ，ＰＴ１，ＰＴ２，ＰＦは、図１乃至図９で説明した構成に限定されない。例えば、出火発光パターンＰＳ及び強火炎発光パターンＰＴ１において、発光（点滅又は点滅）する赤色発光ダイオード２６，２６，…の数を相異させる構成も採用できる。このとき、赤色発光ダイオード２６，２６，…を発光する数は、強火炎発光パターンＰＴ１を出火発光パターンＰＳより多くする。
また、発光パターン数も、出火発光パターンＰＳ、強火炎発光パターンＰＴ１、弱火炎発光パターンＰＴ２、及び鎮火発光パターンＰＦに限定されない。
【００６１】
また、発光素子は、赤色、黄色及び青色発光ダイオード２６，２７，２８に限定されず、各発光ダイオード２６，２７，２８に加えて橙色発光する橙色発光ダイオードドを備える構成も採用できる。各発光ダイオードは、斜方格子配列され、各列において、赤色、橙色、黄色及び青色の発光ダイオード順に繰返し配列する。このとき、制御装置２（制御部３５）は、弱火炎発光処理において、例えば、弱火炎発光パターンＰＴ２にて各黄色発光ダイオード及び橙色発光ダイオードを発光（点灯）する。
また、発光素子は、赤色発光ダイオード２６、黄色発光ダイオード２７及び青色発光ダイオード２８を別々にして構成しているが、これに限定されず、複数の多色発光ダイオード（フルカラー発光ダイオード）をＬＥＤ駆動回路基板３０に配列しても良い。多色発光ダイオードは、赤色、黄色及び青色（三原色）に発光し、三原色の発光度合いを調整することで、赤色、黄色又は青色を含む多色に発光する。制御装置２は、出火発光処理、強火炎発光処理、弱火炎発光処理及び鎮火発光処理において、多色発光ダイオードの三原色の発光度合いを制御することで、各多色発光ダイオードを各発光パターンＰＳ，ＰＴ１，ＰＴ２，ＰＦにて赤色発光（点滅又は点灯）、又は黄色発光（点灯）又は青色発光（点灯）等する。
更に、各発光ダイオード２６，２７，２８は、斜方格子に配列する構成に限定されず、例えば、擬似火炎を形成するように配列しても良い。
【００６２】
消防放水訓練支援装置Ｘは、１の擬似表示装置１を備える構成について説明したが、これに限定されるものでなく、図１０に示すように、複数の擬似表示装置１，１，…を備える構成も採用できる。
複数の擬似表示装置１，１，…は、ケーブル３７，３７，…にて制御装置２に接続される。制御装置２は、図１乃至図９で説明したと同様に、各擬似表示装置１，１，…の放水に対し、発光制御プログラムに従って、初期発光処理、火炎発光処理（強火炎発光処理、弱火炎発光処理）及び鎮火発光処理を実行する（自動訓練モードＡＧ）。また、制御装置２は、図１乃至図９で説明したと同様、手動訓練モードＳＧにおいて、各選択信号ｃｓ，ｃｈ，ｃｗ，ｃｆに基づいて、各擬似表示装置１，１，…を任意の発光パターンにて各発光素子２６，２７，２８を発光する。
複数の擬似表示装置１，１，…は、例えば、支持枠体１１を消防訓練施設等の屋内外の複数箇所に固定し、各擬似表示装置１，１，…に順次、消火機器Ａから放水することで、連続的な消防放水訓練を実施できる。
【００６３】
消防放水訓練支援装置Ｘは、図７、図１１及び図１２に示すように、文字情報を表示する文字表示器８０を備える構成も採用できる。
文字表示器８０は、図１１及び図１２に示すように、擬似表示体１２に配置される。文字表示器８０は、内側枠体２９の内部空間Ｍにおいて、標的平板２５及び各発光素子２６，２７，２８（発光ダイオード）間に配置され、標的平板２５の裏面２５Ｂに対峙する。
これにより、擬似表示装置１は、標的平板２５（標的面２５Ａ）及び透明樹脂３２等を通して文字表示器８０を視認可能とする。
文字表示器８０は、例えば液晶パネル等で構成され、各発光素子２６，２７，２８と同様、透明樹脂３２中に埋設される。
文字表示器８０は、出火Ｗ１、火炎規模Ｗ２及び鎮火Ｗ３の文字情報を表示する。火炎規模Ｗ２は、強火炎Ｗ２ａ及び弱火炎Ｗ２ｂでなる。文字表示器８０は、図７に示すように、ケーブル８１（配線）にて制御装置２（制御部３５）に接続される。
【００６４】
制御装置２は、図７に示すように、出火Ｗ１、強火炎Ｗ２ａ、弱火炎Ｗ２ｂ及び鎮火Ｗ３の文字情報（文字データ）をデータ記憶部３６に記憶する。
【００６５】
制御装置２は、自動訓練モードＡＧにおいて、各発光ダイオード２６，２７，２８の発光と同時に、文字表示器１５０に文字情報を表示する。
制御部３５は、初期発光処理において、データ記憶部３６から出火発光パターンＰＳ及び出火Ｗ１の文字情報を読出し、文字表示器１５０に「出火」を表示する［図１１（ｂ）参照］。このとき、制御部３５は、出火発光パターンＰＳにて各赤色発光ダイオード２６，２６，…を発光（点滅）する。
制御部３５は、強火炎発光処理において、データ記憶部３６から強火炎発光パターンＰＴ１及び強火炎Ｗ２ａの文字情報を読出し、文字表示器１５０に「強火炎」を表示する［図１１（ｃ）参照］。このとき、制御部３５は、強火炎発光パターンＰＴ１にて各赤色発光ダイオード２６，２６，…を発光（点灯）する。
また、制御部３５は、弱火炎発光処理において、データ記憶部３６から弱火炎発光パターンＰＴ２及び弱火炎Ｗ２ｂの文字情報を読出し、文字表示器１５０に「弱火炎」を表示する［図１１（ｄ）］。このとき、制御部３５は、弱火炎発光パターンＰＴ２にて各黄色発光ダイオード２７，２７，…を発光（点灯）する。
更に、制御部３５は、鎮火発光処理において、データ記憶部３６から鎮火発光パターンＰＦ及び鎮火Ｗ３の文字情報を読出し、文字表示器１５０に「鎮火」を表示する［図１１（ｅ）参照］。このとき、制御部３５は、鎮火発光パターンＰＦにて各青色発光ダイオード２８，２８，…を発光（点灯）する。
【００６６】
制御装置２は、手動訓練モードＳＧにおいて、文字表示器１５０に文字情報を表示する。
制御部３５は、強火炎選択信号ｃｈに基づいて、データ記憶部３６から強火炎発光パターンＰＴ１及び強火炎Ｗｂ１の文字情報を読出し、文字表示器１５０に「強火炎」を表示する［図１１（ｃ）参照］。このとき、制御部３５は、強火炎発光パターンＰＴ１にて各赤色発光ダイオード２６，２６，…を発光（点灯）する。
制御部３５は、弱火炎選択信号ｃｗに基づいて、データ記憶部３６から弱火炎発光パターンＰＴ２及び弱火炎Ｗａ２の文字情報を読出し、文字表示器８０に「弱火炎」を表示する［図１１（ｄ）参照］。このとき、制御部３５は、弱火炎発光パターンＰＴ２にて各黄色発光ダイオード２７，２７，…を発光（点灯）する。
また、制御部３５は、鎮火選択信号ｃｆに基づいて、データ記憶部３６から鎮火発光パターンＰＦ及び鎮火Ｗ３の文字情報を読出し、文字表示器８０に「鎮火」を表示する［図１１（ｅ）参照］。このとき、制御部３５は、鎮火発光パターンＰＦにて各青色発光ダイオード２８，２８，…を発光（点灯）する。
更に、制御部３５は、出火選択信号ｃｓに基づいて、データ記憶部３６から出火発光パターンＰＳ及び出火Ｗ１の文字情報を読出し、文字表示器８０に「鎮火」を表示する［図１１（ｅ）参照］。このとき、制御部３５は、鎮火発光パターンＰＦにて各青色発光ダイオード２８，２８，…を発光（点灯）する。
なお、文字表示器８０は、擬似表示体１２に配置する構成に限定されず、擬似表示装置１と別個に配置しても良い。
【００６７】
消防放水訓練支援装置Ｘは、図１３に示すように、走行台車９０を備える構成も採用できる。
移動台車９０は、台座９１、支持平板９２及び複数のキャスタ９３，９３，…を有する。支持平板９２は、台座９１上に立設され、擬似表示装置１を支持する。支持平板９２は表示窓口９４を有する。
擬似表示装置１は、表示窓口９４内に挿入され、支持枠体１１を支持平板９２に固定する。擬似表示装置１は、図１３に示すように、標的面２５Ａ（標的板２５）を支持平板９４の表面９２Ａ一致するように配置される。制御装置２は、支持平板９２裏面９２Ｂにおいて、台座１０１上に固定する。
複数のキャスタ９３，９３，…は台座９１に配置され、台座９１を走行自在にする。
これにより、消防放水訓練支援装置１は、走行台車９０にて搬送でき、学校等の公共施設にて、容易に配置できる。
【産業上の利用可能性】
【００６８】
本考案は、消防放水訓練に最適である。
【符号の説明】
【００６９】
Ｘ  消防放水訓練支援装置
１  擬似表示装置
２  制御装置
３  計時器
４  圧力検出素子
５  操作装置
【図１】
0003192096.tif 000003
【図２】
0003192096.tif 000004
【図３】
0003192096.tif 000005
【図４】
0003192096.tif 000006
【図５】
0003192096.tif 000007
【図６】
0003192096.tif 000008
【図７】
0003192096.tif 000009
【図８】
0003192096.tif 000010
【図９】
0003192096.tif 000011
【図１０】
0003192096.tif 000012
【図１１】
0003192096.tif 000013
【図１２】
0003192096.tif 000014
【図１３】
0003192096.tif 000015